(57)【要約】【課題】外部の管理サーバを使用することなくユーザ自身が作成し自己責任でリアルタイムに管理可能な携帯端末によるコンテンツ配信方法および携帯端末を提供する。【解決手段】携帯端末１０１（又は２００）は、クライアントである携帯端末１０２と通信制御機関１０３を介して間接的に又は赤外線通信等により直接的に通信可能である。携帯端末１０１は、ＣＰＵ２０１の制御下で動作する表示部２０８、コンテンツ作成部２０９、セキュリティ制御部２１０およびコンテンツサーバ部２１１を含んでいる。コンテンツ作成部２０９で作成したユーザの顔写真等のコンテンツを、コンテンツサーバ部２１１に登録し、セキュリティ制御部２１０の制御のもとでクライアント携帯端末１０２にコンテンツを配信する。【選択図】図２
2007058260.tif 000002
【特許請求の範囲】
【請求項１】
携帯端末のコンテンツサーバ部にコンテンツを登録するステップと、他の携帯端末から前記登録されたコンテンツの取得要求があった際に、該取得要求のあった携帯端末の識別情報を取得するステップと、該取得した識別情報に基づいて前記コンテンツ取得要求した携帯端末への前記コンテンツ配信の可否について前記コンテンツ取得要求された携帯端末のユーザに判断させるステップとを備えることを特徴とするコンテンツ配信方法。
【請求項２】
前記携帯端末からコンテンツ取得要求がある場合には、前記コンテンツ取得要求された携帯端末に接続確認を表示するステップを備えることを特徴とする請求項１に記載のコンテンツ配信方法。
【請求項３】
前記コンテンツ取得要求した携帯端末に対しては、次回からのアクセス確認の可否をコンテンツ取得要求された携帯端末のユーザに決定させるステップを備えることを特徴とする請求項１又は２に記載のコンテンツ配信方法。
【請求項４】
前記コンテンツサーバ部内に登録されるコンテンツには、アクセス許可される携帯端末を特定するステップを備えることを特徴とする請求項１、２又は３に記載のコンテンツ配信方法。
【請求項５】
前記登録されたコンテントを有する携帯端末および前記コンテンツ取得要求する携帯端末は、通信制御機関を介して送受信することを特徴とする請求項１乃至４の何れかに記載のコンテンツ配信方法。
【請求項６】
前記登録されたコンテンツを有する携帯端末および前記コンテンツ取得要求する携帯端末は、ＢＬＵＥＴＯＯＴＨや赤外線通信により直接アクセスすることを特徴とする請求項１乃至４の何れかに記載のコンテンツ配信方法。
【請求項７】
通信制御機関を介して間接的に又は赤外線通信等により直接的に相互に通信可能な携帯端末において、
ユーザがコンテンツを作成するコンテンツ作成部と、該コンテンツ作成部で作成されたコンテンツを登録し、他の携帯端末がアクセス可能にするコンテンツサーバ部と、前記他の携帯端末から前記コンテンツサーバ部のコンテンツの取得要求を監視して前記コンテンツ取得の可否を携帯端末のユーザに決定させるセキュリティ制御部とを備えることを特徴とする携帯端末。
【請求項８】
前記セキュリティ制御部は、前記他の携帯端末からのアクセスを前記コンテンツ取得要求された携帯端末の表示部の確認画面に表示して、ユーザがアクセスの可否を選択可能にすることを特徴とする請求項７に記載の携帯端末。
【請求項９】
前記セキュリティ制御部は、前記コンテンツサーバ部にコンテンツと共に登録されたアクセスルールに基づき前記コンテンツにアクセス可能にする携帯端末を規定することを特徴とする請求項７に記載の携帯端末。
【発明の詳細な説明】
【技術分野】
【０００１】
本発明はコンテンツ配信方法および携帯端末に関し、特にインターネットやＢＬＵＥＴＯＯＴＨ等による外部接続機能を有する携帯端末において携帯端末自体をコンテンツサーバとして利用してコンテンツを配信するコンテンツ配信方法および携帯端末に関する。
【背景技術】
【０００２】
ネットワークを利用する通信技術の進歩により、多くの情報（又はコンテンツ）が、ＰＣ（パーソナルコンピュータ）その他の端末からネットワークを介して送受信可能になっている。また、その利用者数は急激に増加している。
【０００３】
ユーザ自身や家族の顔写真等のプライベート情報を掲載する個人運営のホームページは、一般に不特定多数のユーザを対象とするものではなく、作成者の友人や知人等の比較的限定された範囲のユーザを対象としているのが殆どである。特に近年、携帯電話、ＰＨＳ（Personal Handy-phone System）およびＰＤＡ(Personal Digital Assistant)等の携帯端末からのコンテンツ作成機能、コンテンツサーバへのコンテンツアップロード機能について多くの発明や改良がなされている。例えば、カメラ内蔵型携帯電話では、カメラモジュールで作成した写真、メールデータ等のコンテンツを形成するパーツのプライベート化が進んでいる。そして、これらの情報配信先を制限するセキュリティ機能が重要になっている。
【０００４】
しかし、検索エンジンの発達により、コンテンツ内の単語等をキーワードとして所有者の認知範囲外でコンテンツへのリンクが張られ、所有者の知らないうちにプライベート情報が第三者により閲覧される可能性が増加している。そのためにＨＴＴＰ（Hypertext transfer Protocol）のＢＡＳＩＣ認証等のＩＤやパスワードを使用してアクセスを制限することによりセキュリティを強化する手法が開発されている。しかし、この手法でも、ＩＤやパスワードの流出等により、セキュリティが完璧であるとはいえない。
【０００５】
また、携帯端末を利用するコンテンツの作成／配信システムは、既に多数存在するが、携帯端末でコンテンツを作成し、コンテンツサーバへ登録するシステムが大半である。従来のコンテンツ配信システムでは、コンテンツサーバが所有者とは別の機関にあるため、参照するタイミングが所有者にはリアルタイムで把握できず、所有者は意図しない第三者による不正アクセスを阻止できない。コンテンツサーバからのデータ漏洩等の、所有者の管理範囲外でセキュリティ問題が顕在する。更に、コンテンツサーバが手元の携帯端末から離れ、アクセスされていることをリアルタイムで検知困難なことは、コンテンツ運営、参照のインターラクティブ性およびエンターテインメント性に欠ける。
【０００６】
斯かる技術分野における従来技術は、多くの技術文献に開示されている。自己の個人情報に対する他人のアクセスを容易に管理する情報処理装置および情報処理方法が開示されている（例えば、特許文献１参照。）。また、サーバ機能を有する双方向データ通信可能な携帯電話および通信システムが開示されている（例えば、特許文献２参照。）。更に、アクセス制限を端末に事前登録することによりセキュリティの確保を図る個人情報公開システムと情報の公開方法が開示されている（例えば、特許文献３参照。）。
【０００７】
【特許文献１】特開２００１−５８３３号公報（第５−６頁、第２図）
【特許文献２】特開２００１−１５７２５６号公報（第４−５頁、第１図）
【特許文献３】特開２００３−１５２８９５号公報（第６−７頁、第１図）
【発明の開示】
【発明が解決しようとする課題】
【０００８】
上述の如き従来技術は、セキュリティが十分でなく且つインターラクティブ性およびエンターテインメント性に欠ける。即ち、各種のコンテンツを登録管理する管理サーバは、所謂ハッカーの攻撃対象となり、個人データ等の流出や不正なりすまし等に対して情報所有者の監視の範囲外となる。また、電話番号とアクセス期間でパスワードなしによるセキュリティ確保では、第三者が利用した場合に、不正アクセスを確実に防止できず、セキュリティが不十分である。
【０００９】
本発明は、従来技術の上述の如き課題に鑑みなされたものであり、斯かる課題を解決又は軽減し、コンテンツ所有者が自己責任で情報配信制限を簡単且つリアルタイムで行うことができるコンテンツ配信方法および携帯端末を提供することを目的とする。
【課題を解決するための手段】
【００１０】
前述の課題を解決するため本発明のコンテンツ配信方法および携帯は次のような特徴的な構成を採用している。
【００１１】
（１）携帯端末のコンテンツサーバ部にコンテンツを登録するステップと、他の携帯端末から前記登録されたコンテンツの取得要求があった際に、該取得要求のあった携帯端末の識別情報を取得するステップと、該取得した識別情報に基づいて前記コンテンツ取得要求した携帯端末への前記コンテンツ配信の可否について前記コンテンツ取得要求された携帯端末のユーザに判断させるステップとを備えるコンテンツ配信方法。
（２）前記携帯端末からコンテンツ取得要求がある場合には、前記コンテンツ取得要求された携帯端末に接続確認を表示するステップを備える上記（１）のコンテンツ配信方法。
（３）前記コンテンツ取得要求した携帯端末に対しては、次回からのアクセス確認の可否をコンテンツ取得要求された携帯端末のユーザに決定させるステップを備える上記（１）又は（２）のコンテンツ配信方法。
（４）前記コンテンツサーバ部内に登録されるコンテンツには、アクセス許可される携帯端末を特定するステップを備える上記（１）、（２）又は（３）のコンテンツ配信方法。
（５）前記登録されたコンテントを有する携帯端末および前記コンテンツ取得要求する携帯端末は、通信制御機関を介して送受信する上記（１）乃至（４）の何れかのコンテンツ配信方法。
（６）前記登録されたコンテンツを有する携帯端末および前記コンテンツ取得要求する携帯端末は、ＢＬＵＥＴＯＯＴＨや赤外線通信により直接アクセスする上記（１）乃至（４）の何れかのコンテンツ配信方法。
（７）通信制御機関を介して間接的に又は赤外線通信等により直接的に相互に通信可能な携帯端末において、
ユーザがコンテンツを作成するコンテンツ作成部と、該コンテンツ作成部で作成されたコンテンツを登録し、他の携帯端末がアクセス可能にするコンテンツサーバ部と、前記他の携帯端末から前記コンテンツサーバ部のコンテンツの取得要求を監視して前記コンテンツ取得の可否を携帯端末のユーザに決定させるセキュリティ制御部とを備える携帯端末。
（８）前記セキュリティ制御部は、前記他の携帯端末からのアクセスを前記コンテンツ取得要求された携帯端末の表示部の確認画面に表示して、ユーザがアクセスの可否を選択可能にする上記（７）の携帯端末。
（９）前記セキュリティ制御部は、前記コンテンツサーバ部にコンテンツと共に登録されたアクセスルールに基づき前記コンテンツにアクセス可能にする携帯端末を規定する上記（７）の携帯端末。
【発明の効果】
【００１２】
本発明のコンテンツ配信方法および携帯端末によると、次の如き実用上の顕著な効果が得られる。第１に、他の携帯端末からコンテンツへのアクセスをコンテンツ所有者本人がリアルタイムで監視し、アクセスの可否を自己の意思と責任で決定するので、不正アクセスを管理および防止可能である。第２に、コンテンツ配信を、コンテンツ所有者本人が監視する機能を備えているので、セキュリティが高く、個人写真やメールデータ等の端末内に保存されているプライベート情報を従来のコンテンツ配信システムよりも安心してコンテンツ内に含めることが可能である。第３に、厳格なアクセス制限により検索エンジンのデータベース対象となり難く、コンテンツの配信範囲および機密性を保持できる。第４に、コンテンツサーバを外部のサーバ機関に置くのではなく、自己の保持する携帯端末内に備えているので、他のユーザ（携帯端末）とのアクセスに対してバイブレーションや着信音等の効果を付加でき、更にコンテンツ更新通知等も可能になる。
【発明を実施するための最良の形態】
【００１３】
以下、本発明によるコンテンツ配信方法および携帯端末の好適実施例の構成および動作を、添付図面を参照して詳細に説明する。
【００１４】
先ず、図１は、本発明のコンテンツ配信方法を実施するコンテンツ配信システムの好適実施形態の全体システム構成図である。このコンテンツ配信システム１００は、携帯端末Ａ１０１、携帯端末Ｂ１０２および通信制御機関１０３により構成される。
【００１５】
ここで、携帯端末Ａ１０１は、コンテンツ配信のサーバおよびクライアントの両機能を備える携帯端末であり、コンテンツの配信および受信が可能である。一方、携帯端末Ｂ１０２は、クライアント機能を備える（サーバ機能も備えてもよい）携帯端末であり、コンテンツの受信が可能である。携帯端末Ａ１０１および携帯端末Ｂ１０２は、通信制御機関１０３を介して間接的に又はＢＬＵＥＴＯＯＴＨや赤外線通信（ＩＲＤＡ）等により直接的に携帯端末相互間で通信可能である。
【００１６】
次に、図２は、本発明のコンテンツ配信システム１００で使用可能な本発明による携帯端末の好適実施形態である携帯電話機の回路構成の要部を示すブロック図である。この携帯電話機（又は携帯端末）２００は、ＣＰＵ（中央処理装置）２０１、通信制御部２０２、ＲＯＭ（読み出し専用メモリ）２０３、リソース制御部２０４、キー入力制御部２０５、キー入力部２０６、表示制御部２０７、表示部（例えば、液晶表示装置：ＬＣＤ）２０８、コンテンツ作成部２０９、セキュリティ制御部２１０、コンテンツサーバ部２１１および作業メモリ２１２により構成される。そして、これら各構成要素はバス２１３を介して相互に接続されている。
【００１７】
通信制御部２０２は、インターネット、ＢＬＵＥＴＯＯＴＨ、ＩＲＤＡ等のサービスを提供し他の携帯端末との通信を可能にする。ＲＯＭ２０３には、ＣＰＵ２０１が実行するための各種の制御用プログラム、画像データ、音楽データ、メールデータ、電話帳等の端末に保存されているリソースおよび公開するホームページのコンテンツ等を格納するメモリである。リソース制御部２０４は、ＲＯＭ２０３に格納されているリソースへのアクセスを制御する。キー入力制御部２０５およびキー入力部２０６によりユーザからのキー入力が可能となり、表示制御部２０７、表示部（ＬＣＤ）２０８により画面表示が可能となる。コンテンツ作成部２０９によりフレンドリーなユーザインターフェースが提供され、携帯端末内で誰にでも簡単にホームページ用のコンテンツが作成可能となる。そして、コンテンツ作成部２０９で作成したコンテンツをコンテンツサーバ部２１１上でホームページとして運営する。セキュリティ制御部２１０では他端末からのコンテンツサーバ部２１１へのアクセス制御を行う。作業メモリ２１２は、上述した端末内各構成部が動作するために一時的に利用するメモリを提供する。
【００１８】
次に、図３は、コンテンツサーバとしての携帯端末へアクセスをするための画面、他の端末からのアクセスを許可するどうかの確認ダイアログをするための携帯端末２００の表示部２０８の表示画面の具体例を示す。図３（Ａ）は、接続確認画面の具体例であり、「接続確認」の表題の下に、「下記サイトへアクセスしますか？」のメッセージがその電話番号と共に表示される。そして、ユーザは、その下に表示される「ＯＫ」又は「ＮＯ」の何れかにタッチして選択可能である。
【００１９】
他方、図３（Ｂ）および（Ｃ）は、携帯端末２００のアクセス確認画面の具体例を示す。図３（Ｂ）は、表示部２０８に「確認画面」の表題と共に「ｘｘｘからのアクセスを許可しますか？」のメッセージが表示される。そこで、ユーザは、「ＯＫ」又は「ＮＯ」の確認ダイアログの何れかにタッチして選択する。「ＯＫ」を選択すると、そのアクセスが許可され、「ＮＯ」を選択すると、そのアクセスは不許可（又は拒否）される。また、図３（Ｃ）では、「確認画面」の表題の下に「次回ｘｘｘからのアクセスも確認画面を表示しますか？」のメッセージが表示され、ユーザが「ＯＫ」又は「ＮＯ」の確認ダイアログにタッチして何れかを選択可能にする。「ＯＫ」を選択すると、その端末からの次回のアクセスに対して確認画面が表示され、「ＮＯ」を選択すると、次回からのアクセスに対して確認画面が表示されない。
【００２０】
次に、図４および図５のフローチャートを参照して、本発明によるコンテンツ配信装置１００の動作を説明する。図４は、全体の処理シーケンスを示す。一方、図５は、アクセス制御の処理シーケンスを示す。
【００２１】
先ず、図４は、本発明のコンテンツ配信装置１００において、クライアントとしての携帯端末Ｂ１０２からコンテンツサーバとしての携帯端末Ａ１０１へアクセスし、アクセス認証を経て携帯端末Ａ１０１が有するコンテンツを取得するまでの一連の処理動作を示している。
【００２２】
携帯端末Ａ１０１のユーザ（使用者）がコンテンツ作成部２０９を使用して携帯端末内に配信するコンテンツを作成する（ステップＡ１）。この作成されたコンテンツを、携帯端末Ａ１０１内に存在するコンテンツサーバに登録する（ステップＡ２）。携帯端末Ｂ１０２から携帯端末Ａ１０１の電話番号を入力して携帯端末Ａ１０１へのアクセス、即ち接続要求をする（ステップＢ１）。これが、上述した図３（Ａ）の状態となる。この際に、携帯端末Ｂ１０２の電話番号が携帯端末Ａ１０１へ送信される。
【００２３】
そこで、携帯端末Ａ１０１では、携帯端末Ｂ１０２から携帯端末Ａ１０１上に存在するコンテンツにアクセス要求があったことを確認ダイアログとしてユーザに通知する（ステップＡ３）。次に、ユーザからのアクセス許可の有無（即ち、「ＯＫ」又は「ＮＯ」）を確認するアクセス制御を行う（ステップＡ４）。アクセス元の情報は、携帯電話機２００内のコンテンツサーバ部２１１やＲＯＭ２０３に保存されている端末内の電話帳等からリンク付け、ユーザにフレンドリーな形で通知すると共にバイブレータや着信音等を付加させてもよい。
【００２４】
次に、ユーザのアクセス許可に対する結果を携帯端末Ｂ１０２へ送信する（ステップＡ５）。携帯端末Ｂ１０２ではアクセスＯＫか否か判断する（ステップＢ３）。アクセス許可（又は「ＯＫ」）の場合（ステップＢ３：ＹＥＳ）には、ユーザにその結果を通知する。即ち、認証ＯＫ通知画面を表示する（ステップＢ４）。そして、コンテンツ取得要求を携帯端末Ａ１０１側へ送信する。このコンテンツ取得要求を受けた携帯端末Ａ１０１は、コンテンツサーバが起動中か否か判断する（ステップＡ６）。コンテンツサーバが起動していない場合（ステップＡ６：ＮＯ）には、コンテンツサーバの起動を行う（ステップＡ７）。このコンテンツサーバの起動後又はコンテンツサーバが起動中の場合（ステップＡ６：ＹＥＳ）には、携帯端末Ａ１０１は、携帯端末Ｂ１０２から要求されたコンテンツを配信する。最後に携帯端末Ｂ１０２は、携帯端末Ａ１０１より受信したコンテンツを表示部の画面に表示するコンテンツ表示を行う（ステップＢ６）。尚、上述したステップＢ３においてアクセス権が得られない場合（ステップＢ３：ＮＯ）には、コンテンツ取得は失敗であり、アクセス失敗の画面表示を行う（ステップＢ５）。
【００２５】
次に、図５のフローチャートを参照して、図４中のアクセス制御処理（ステップＡ４）の詳細、即ちサーバ側の携帯端末Ａ１０１上で携帯端末Ｂ１０２からのアクセスを許可するか否かの処理を説明する。最初に、今回のアクセスについて許可するか否かの問い合わせを行う（ステップＣ１）。アクセスが許可された場合（ステップＣ１：ＹＥＳ）には、次回（セッションが切れるまで有効）のアクセスの際に再度アクセス許可のダイアログを出し、ユーザによる確認を必要とするか否かの確認を行う（ステップＣ２）。ステップＣ１およびＣ２が「ＮＯ」の場合には、アクセス制御のユーザ確認処理を終了する。
【００２６】
次に、図６は、コンテンツサーバ（携帯端末Ａ１０１）側でコンテンツを更新した場合のクライアントへの通知処理フローチャートを示す。コンテンツサーバ上での登録データに基づき、コンテンツサーバである携帯端末Ａ１０１から更新通知がクライアントの携帯端末Ｂ１０２に送られる（ステップＤ１）。携帯端末Ｂ１０２の表示部には、この更新通知画面が表示される（ステップＤ２）。更新通知を受け取ったクライアント携帯端末Ｂ１０２は、コンテンツの取得要求を携帯端末Ａ１０１へ送信し（ステップＤ３）、コンテンツを取得する。この際に、コンテンツサーバ上の登録データとアクセスしてきたクライアントの情報が一致している場合には、アクセス制御画面は表示せず、そのままアクセス可能とする。
【００２７】
以上、本発明によるコンテンツ配信方法および携帯端末の好適実施例を詳述した。しかし、斯かる実施例は、本発明の単なる例示に過ぎず、何ら本発明を限定するものではない。本発明の要旨や精神を逸脱することなく、特定用途に応じて種々の変形変更が可能であること、当業者には容易に理解できよう。
【００２８】
例えば、携帯端末間の通信は、移動通信機関の提供する通信制御機関の介在なく、上述したＢＬＵＥＴＯＯＴＨやＩＲＤＡ等の携帯端末相互間通信を利用してもよい。また、通信相手を識別する手段としては電話番号のみではなくメールアドレスやＩＭＥＩ等の他の識別手段を使用してもよく、セキュリティ強化のために複数の識別手段を組み合わせてもよい。作成したコンテンツを携帯端末内のサーバへ登録する際に、特定のアクセス相手以外は自動的にシャットアウト等のアクセスルールを一緒に登録できる機能を備えてもよい。
【００２９】
他の携帯端末からのアクセス制御ルールについては、クライアントからのスムーズなコンテンツ参照を考慮して、サーバ側の端末のサーバソフトにより特定の相手にはアクセス確認を行わない設定も可能とする。従来のコンテンツ配信システムよりインターラクティブ且つエンターテインメント性を高めるため、特定のユーザに対して参照権だけではなく、文字の書き込み等のコンテンツの編集権を与えた配信サービスを備えてもよい（但し、セキュリティの観点から、これらの編集結果は一度作業メモリ２１２上に持ち、編集のＣＯＭＭＩＴ、即ちＲＯＭ２０３への保存はコンテンツ所有者によるユーザ確認を必要とする）。
【図面の簡単な説明】
【００３０】
【図１】本発明によるコンテンツ配信システムの好適実施形態のシステム構成図である。
【図２】本発明による携帯端末の好適実施形態の構成を示すブロック図である。
【図３】図２に示す携帯端末の画面表示の具体例を示し、（Ａ）は接続確認画面、（Ｂ）および（Ｃ）はアクセス確認画面である。
【図４】本発明によるコンテンツ配信方法を説明する全体のフローチャートである。
【図５】図４中のアクセス制御処理のフローチャートである。
【図６】本発明におけるコンテンツ更新処理のフローチャートである。
【符号の説明】
【００３１】
１００  コンテンツ配信システム
１０１、２００  携帯端末（コンテンツサーバ部付き）
１０２  携帯端末（クライアント）
１０３  通信制御機関
２０１  ＣＰＵ
２０８  表示部
２０２  通信制御部
２０９  コンテンツ作成部
２１０  セキュリティ制御部
２１１  コンテンツサーバ部
【図１】
2007058260.tif 000003
【図２】
2007058260.tif 000004
【図３】
2007058260.tif 000005
【図４】
2007058260.tif 000006
【図５】
2007058260.tif 000007
【図６】
2007058260.tif 000008